【手続補正書】
【提出日】平成18年1月12日(2006.1.12)
【手続補正１】
【補正対象書類名】明細書
【補正対象項目名】請求項１
【補正方法】変更
【補正の内容】
【請求項１】  画像のトリミングを行う画像トリミング装置であって、
トリミングの対象となる画像を読み取る画像読取手段と、
トリミングの対象となる画像の注目領域を算出する注目領域算出手段と、
予め所定のオブジェクトについて学習したオブジェクトのモデルを記憶するオブジェクト記憶手段と、
前記オブジェクト記憶手段に記憶されているオブジェクトのモデルを基に、画像に映っているオブジェクトの指標を算出するオブジェクト指標算出手段と、
トリミング手法を記憶するトリミング手法記憶手段と、
前記注目領域算出手段によって得られた注目度と、前記オブジェクト指標算出手段により得られたオブジェクト指標とに従いトリミング手法を決定するトリミング手法決定手段と、
前記トリミング手法決定手段によって決められたトリミング手法に従い、画像をトリミングするトリミング手段と
を具備することを特徴とする画像トリミング装置。
【手続補正２】
【補正対象書類名】明細書
【補正対象項目名】請求項６
【補正方法】変更
【補正の内容】
【請求項６】  画像のトリミングを行う画像トリミング装置における画像トリミング方法であって、
トリミングの対象となる画像を読み取る画像読取手順と、
トリミングの対象となる画像の注目領域を算出する注目領域算出手順と、
予め所定のオブジェクトについて学習したオブジェクトのモデルを記憶するオブジェクト記憶手順と、
前記オブジェクト記憶手順に記憶されているオブジェクトのモデルを基に、画像に映っているオブジェクトの指標を算出するオブジェクト指標算出手順と、
トリミング手法を記憶するトリミング手法記憶手順と、
前記注目領域算出手順によって得られた注目度と、前記オブジェクト指標算出手順により得られたオブジェクト指標とに従いトリミング手法を決定するトリミング手法決定手順と、
前記トリミング手法決定手順によって決められたトリミング手法に従い、画像をトリミングするトリミング手順と
を含むことを特徴とする画像のトリミング方法。
【手続補正３】
【補正対象書類名】明細書
【補正対象項目名】請求項７
【補正方法】変更
【補正の内容】
【請求項７】  画像のトリミングを行う画像トリミング装置内のコンピュータに、
トリミングの対象となる画像を読み取る画像読取手順と、
トリミングの対象となる画像の注目領域を算出する注目領域算出手順と、
予め所定のオブジェクトについて学習したオブジェクトのモデルを記憶するオブジェクト記憶手順と、
前記オブジェクト記憶手順に記憶されているオブジェクトのモデルを基に、画像に映っているオブジェクトの指標を算出するオブジェクト指標算出手順と、
トリミング手法を記憶するトリミング手法記憶手順と、
前記注目領域算出手順によって得られた注目度と、前記オブジェクト指標算出手順により得られたオブジェクト指標とに従いトリミング手法を決定するトリミング手法決定手順と、
前記トリミング手法決定手順によって決められたトリミング手法に従い、画像をトリミングするトリミング手順と
を実行させるためのプログラム。
【手続補正４】
【補正対象書類名】明細書
【補正対象項目名】０００８
【補正方法】変更
【補正の内容】
【０００８】
【課題を解決するための手段】
本発明は上記課題を解決するためになされたものであり、本発明の画像トリミング装置は、画像のトリミングを行う画像トリミング装置であって、トリミングの対象となる画像を読み取る画像読取手段と、トリミングの対象となる画像の注目領域を算出する注目領域算出手段と、予め所定のオブジェクトについて学習したオブジェクトのモデルを記憶するオブジェクト記憶手段と、前記オブジェクト記憶手段に記憶されているオブジェクトのモデルを基に、画像に映っているオブジェクトの指標を算出するオブジェクト指標算出手段と、トリミング手法を記憶するトリミング手法記憶手段と、前記注目領域算出手段によって得られた注目度と、前記オブジェクト指標算出手段により得られたオブジェクト指標とに従いトリミング手法を決定するトリミング手法決定手段と、前記トリミング手法決定手段によって決められたトリミング手法に従い、画像をトリミングするトリミング手段とを具備することを特徴とする。
このような構成であれば、画像読取手段により、トリミングの対象となる画像を読み取り、注目領域算出手段により、トリミングの対象となる画像の注目領域を算出する。また、オブジェクト記憶手段（データベースなど）に予めオブジェクト（人間の顔など）を学習したオブジェクトのモデルを記憶しておく。また、オブジェクト指標算出手段により、オブジェクト記憶手段に記憶されたオブジェクトモデルを基に、画像に映っているオブジェクトの指標を算出する。そして、トリミング手法記憶手段により、トリミング手法（トリミング形状など）を予め記憶しておき、トリミング手法決定手段により、注目領域算出手段によって得られた注目度と、オブジェクト指標とに従いトリミング方法を決定する。そして、トリミング手段により、トリミング手法決定手段によって決められたトリミング手法に従い、画像をトリミングする。
これにより、注目度とオブジェクト指標の両方を利用して画像をトリミングすることができ、画像中の重要な領域が隠れることなくトリミングすることができる。
【手続補正５】
【補正対象書類名】明細書
【補正対象項目名】００１３
【補正方法】変更
【補正の内容】
【００１３】
また、本発明の画像のトリミング方法は、画像のトリミングを行う画像トリミング装置における画像トリミング方法であって、トリミングの対象となる画像を読み取る画像読取手順と、トリミングの対象となる画像の注目領域を算出する注目領域算出手順と、予め所定のオブジェクトについて学習したオブジェクトのモデルを記憶するオブジェクト記憶手順と、前記オブジェクト記憶手順に記憶されているオブジェクトのモデルを基に、画像に映っているオブジェクトの指標を算出するオブジェクト指標算出手順と、トリミング手法を記憶するトリミング手法記憶手順と、前記注目領域算出手順によって得られた注目度と、前記オブジェクト指標算出手順により得られたオブジェクト指標とに従いトリミング手法を決定するトリミング手法決定手順と、前記トリミング手法決定手順によって決められたトリミング手法に従い、画像をトリミングするトリミング手順とを含むことを特徴とする。
このような手順であれば、画像読取手順により、トリミングの対象となる画像を読み取り、注目領域算出手順により、トリミングの対象となる画像の注目領域を算出する。また、オブジェクト記憶手順（データベースなど）に予めオブジェクト（人間の顔など）を学習したオブジェクトのモデルを記憶しておく。また、オブジェクト指標算出手順により、オブジェクト記憶手順に記憶されたオブジェクトモデルを基に、画像に映っているオブジェクトの指標を算出する。そして、トリミング手法記憶手順により、トリミング手法（トリミング形状など）を予め記憶しておき、トリミング手法決定手順により、注目領域算出手順によって得られた注目度と、オブジェクト指標とに従いトリミング方法を決定する。そして、トリミング手順により、トリミング手法決定手順によって決められたトリミング手法に従い、画像をトリミングする。
これにより、注目度とオブジェクト指標の両方を利用して画像をトリミングすることができ、画像中の重要な領域が隠れることなくトリミングすることができる。
【手続補正６】
【補正対象書類名】明細書
【補正対象項目名】００１４
【補正方法】変更
【補正の内容】
【００１４】
また、本発明のコンピュータプログラムは、画像のトリミングを行う画像トリミング装置内のコンピュータに、トリミングの対象となる画像を読み取る画像読取手順と、トリミングの対象となる画像の注目領域を算出する注目領域算出手順と、予め所定のオブジェクトについて学習したオブジェクトのモデルを記憶するオブジェクト記憶手順と、前記オブジェクト記憶手順に記憶されているオブジェクトのモデルを基に、画像に映っているオブジェクトの指標を算出するオブジェクト指標算出手順と、トリミング手法を記憶するトリミング手法記憶手順と、前記注目領域算出手順によって得られた注目度と、前記オブジェクト指標算出手順により得られたオブジェクト指標とに従いトリミング手法を決定するトリミング手法決定手順と、前記トリミング手法決定手順によって決められたトリミング手法に従い、画像をトリミングするトリミング手順とを実行させるためのプログラムである。